(57)【要約】      （修正有）【課題】小屋裏階の空気の循環を促進可能な建物を提供する。【解決手段】対向した状態で起立した南側外壁Ｗ１１及び北側外壁Ｗ１３と、南側外壁Ｗ１１及び北側外壁Ｗ１３の上端から連続して略山状に形成された南側天井Ｔ１１及び北側天井Ｔ１３と、南側天井Ｔ１１及び北側天井Ｔ１３の下方に形成されたロフト床３１ａと、を備え、ロフト床３１ａの南側及び北側には南側吹抜けＳ１１及び北側吹抜けＳ１３が形成されてロフト床３１ａは南側外壁Ｗ１１及び北側外壁Ｗ１３と離隔し、ロフト床３１ａにおける南側及び北側の端部には、天井に達しない高さの手摺り３２及び３３がそれぞれ設けられる。【選択図】図３
2015081428.tif 000002
【特許請求の範囲】
【請求項１】
対向した状態で起立した一対の壁と、
前記一対の壁の上端から連続して略山状に形成された一対の勾配天井と、
前記一対の勾配天井の下方に形成された小屋裏階の床と、を備え、
前記小屋裏階の床における前記勾配天井の勾配方向の両側には一対の吹抜けが形成されて前記小屋裏階の床は前記一対の壁と離隔し、
前記小屋裏階の床における前記勾配天井の勾配方向の両側端部には、前記勾配天井に達しない高さの手摺りがそれぞれ設けられる、建物。
【請求項２】
前記小屋裏階の下方の空間は間仕切壁で区画されず一室で構成され、
前記小屋裏階の空間と前記小屋裏階の下方の空間とは、前記一対の吹抜けによって連通する、請求項１に記載の建物。
【請求項３】
前記小屋裏階の下方の空間には、前記小屋裏階の下方の空間と間仕切り壁で区画された他の空間が隣接しており、
前記他の空間の上方の前記小屋裏階の床には吹抜けが形成されるとともに、前記一対の勾配天井に連続する他の勾配天井が形成され、
前記間仕切り壁は前記一対の勾配天井まで達しており、
前記間仕切り壁において前記小屋裏階の空間に面する部位には、前記他の空間と前記小屋裏階の空間とを往来するための昇降手段が接続される開口部が形成される、請求項２に記載の建物。
【請求項４】
前記一対の勾配天井の頂部近傍には、通風機能を有する天窓が設けられる、請求項１〜３のいずれか一項に記載の建物。
【発明の詳細な説明】
【技術分野】
【０００１】
本発明は、小屋裏階を有する建物に関する。
【背景技術】
【０００２】
従来、勾配屋根を有する建物において、小屋裏階の空間をロフト等として活用することがある。このような勾配屋根及びロフト等を有する建物として、例えば特許文献１に記載されたものがある。
【先行技術文献】
【特許文献】
【０００３】
【特許文献１】特開２００７−１００４００号公報
【発明の概要】
【発明が解決しようとする課題】
【０００４】
しかしながら、建物内において熱せられた空気は小屋裏階の空間に向かって上昇するため、小屋裏階の空間は空気が滞留して熱が籠りやすいという問題がある。
【０００５】
そこで、本発明は、小屋裏階の空気の循環を促進可能な建物を提供することを目的とする。
【課題を解決するための手段】
【０００６】
本発明の一側面に係る建物は、対向した状態で起立した一対の壁と、一対の壁の上端から連続して略山状に形成された一対の勾配天井と、一対の勾配天井の下方に形成された小屋裏階の床と、を備え、小屋裏階の床における勾配天井の勾配方向の両側には一対の吹抜けが形成されて小屋裏階の床は一対の壁と離隔し、小屋裏階の床における勾配天井の勾配方向の両側端部には、勾配天井に達しない高さの手摺りがそれぞれ設けられる。
【０００７】
この建物では、小屋裏階の床が一対の壁と離隔し、小屋裏階の床の両側には一対の吹抜けが設けられているので、小屋裏階の空間を通って一対の吹抜け間を空気が流通する。また、手摺り及び腰壁は、勾配天井に達していないため、一対の吹抜け間を流れる空気の流通を遮ることがない。これにより、小屋裏階の空間に空気が滞留することが抑制され、空気の循環が促進されて建物内の温度差を生じ難くすることができる。
【０００８】
小屋裏階の下方の空間は間仕切壁で区画されず一室で構成され、小屋裏階の空間と小屋裏階の下方の空間とは、一対の吹抜けによって連通していてもよい。この場合には、小屋裏階の下方の空間においても空気が流通可能となる。これにより、吹抜けを介して小屋裏階の空間と小屋裏階の下方の空間との間で空気を循環させることができ、小屋裏階の空間の空気の循環をより一層促進させることができる。
【０００９】
小屋裏階の下方の空間には、小屋裏階の下方の空間と間仕切り壁で区画された他の空間が隣接しており、他の空間の上方の小屋裏階の床には吹抜けが形成されるとともに、一対の勾配天井に連続する他の勾配天井が形成され、間仕切り壁は一対の勾配天井まで達しており、間仕切り壁において小屋裏階の空間に面する部位には、他の空間と小屋裏階の空間とを往来するための昇降手段が接続される開口部が形成されていてもよい。この場合には、間仕切り壁のうち小屋裏階の空間に面する部位に開口部が形成されているので、小屋裏階の空間と他の空間との間においても開口部を介して空気が流通する。これにより、小屋裏階の空間の空気の循環をより一層促進させることができる。また、間仕切り壁を設けることで、小屋裏階の下方の空間と他の空間との間において、他の空間におけるプライバシーを保つことができる。
【００１０】
一対の勾配天井の頂部近傍には、通風機能を有する天窓が設けられていてもよい。この場合には、天窓を介して小屋裏階の空間に光を取り込むことができるとともに、通風機能を有する天窓により換気も行うことができる。
【発明の効果】
【００１１】
本発明の一側面によれば、小屋裏階の空気の循環を促進可能な建物を提供することができる。
【図面の簡単な説明】
【００１２】
【図１】一実施形態に係る建物の２階の間取りを示す平面図である。
【図２】図１の建物の小屋裏階を示す平面図である。
【図３】図１におけるIII-III線に沿った断面図である。
【図４】図１におけるIV-IV線に沿った断面図である。
【発明を実施するための形態】
【００１３】
以下、本発明の一実施形態について図面を参照しながら説明する。なお、図面の説明において同一の要素には同一の符号を付し、重複する説明を省略する。
【００１４】
図１〜図４に示すように、建物Ｘは、小屋裏階を有する２階建ての建物である。本実施形態では、部屋の配置説明を容易にするため、図１及び図２の方位記号が示す通り、上方向を北側として説明する。建物Ｘの１階には、水回りや居間等の各種の部屋が設けられている。
【００１５】
図２に示すように、建物Ｘの２階には、洋室２１、居間２２、洋室２３、踊り場２４、及び、トイレ２５が設けられている。洋室２１は、建物Ｘの南西の角部に設けられている。居間２２は、洋室２１の東側に隣接して設けられている。トイレ２５は、建物Ｘの北西の角部に設けられている。トイレ２５と洋室２１との間には、階段２７が設けられており、階段２７を介して建物Ｘの１階と２階とを往来することができる。
【００１６】
踊り場２４は、トイレ２５の東側に隣接して設けられている。踊り場２４は、建物Ｘの１階の床と２階の床との間の床高さであって、１階の床と２階の床との中間位置よりも高い床高さとなっている。踊り場２４と居間２２とは、階段２８によって接続されている。踊り場２４と建物Ｘの１階とは階段２９によって接続されている。洋室２３は、間仕切り壁Ｗ１を挟んで居間２２及び踊り場２４の東側に隣接して設けられている。ベランダ２６は、建物Ｘの２階の南側から東側を介して北側に回り込むように、２階の居室の外側に設けられている。
【００１７】
ここで、建物Ｘの屋根及び外壁について説明する。建物Ｘの外周は、南側外壁Ｗ１１、東側外壁Ｗ１２、北側外壁Ｗ１３、及び、西側外壁Ｗ１４によって囲まれて略矩形状となっている。図２〜図４に示すように、建物Ｘの屋根Ｒは、東西方向に棟が延びる寄棟屋根となっている。より詳細には、屋根Ｒは、南側屋根Ｒ１１、東側屋根Ｒ１２、北側屋根Ｒ１３、及び、西側屋根Ｒ１４によって構成されている。
【００１８】
南側屋根Ｒ１１の小屋裏側の面は、南側に向かって下り勾配が付けられた南側天井（一対の勾配天井）Ｔ１１となっている。東側屋根Ｒ１２の小屋裏側の面は、東側に向かって下り勾配が付けられた東側天井（他の勾配天井）Ｔ１２となっている。北側屋根Ｒ１３の小屋裏側の面は、北側に向かって下り勾配が付けられた北側天井（一対の勾配天井）Ｔ１３となっている。西側屋根Ｒ１４の小屋裏側の面は、西側に向かって下り勾配が付けられた西側天井Ｔ１４となっている。
【００１９】
南側天井Ｔ１１及び北側天井Ｔ１３は、対向した状態で起立した南側外壁Ｗ１１の室内側に設けられた南側内装壁（一対の壁）Ｗ１１ａ及び北側外壁Ｗ１３の室内側に設けられた北側内装壁（一対の壁）Ｗ１３ａの上端からそれぞれ連続して設けられて略山状に形成されている。なお、建物Ｘの２階の居間２２及び踊り場２４と、洋室２３とを区画する間仕切り壁Ｗ１の上端は、南側天井Ｔ１１及び北側天井Ｔ１３まで達している。東側天井Ｔ１２は、東側外壁Ｗ１２の室内側に設けられた東側内装壁Ｗ１２ａの上端から連続して設けられ、南側天井Ｔ１１及び北側天井Ｔ１３の東側端部と連続している。西側天井Ｔ１４は、南側天井Ｔ１１及び北側天井Ｔ１３の西側端部から連続して設けられ、西側外壁Ｗ１４の上端方向に向けて延びている。
【００２０】
図２〜図４に示すように、南側天井Ｔ１１、北側天井Ｔ１３及び西側天井Ｔ１４の下方側には小屋裏階床３１が形成されており、建物Ｘの小屋裏にはロフト（小屋裏階の空間）３０が設けられている。ロフト３０は、居間２２及び踊り場２４の上方に形成されている（図１参照）。建物Ｘの２階の洋室２１とロフト３０とは、はしごＨ１を介して往来可能となっている。はしごＨ１は、折りたたみ可能な構造又は伸縮可能な構造を有し、使用しない場合にはロフト３０内に収容可能な構成とすることができる。
【００２１】
なお、小屋裏階床３１のうち、ロフト３０を形成する床部分をロフト床（小屋裏階の床）３１ａという。ロフト床３１ａにおける南側屋根Ｒ１１又は北側屋根Ｒ１３の勾配方向の両側、即ち、ロフト床３１ａの南側及び北側には、それぞれ南側吹抜け（一対の吹抜け）Ｓ１１及び北側吹抜け（一対の吹抜け）Ｓ１３が形成されている。これにより、ロフト床３１ａは、南側外壁Ｗ１１及び北側外壁Ｗ１３に対して離隔している。また、ロフト３０と２階の居間２２及び踊り場２４とは、南側吹抜けＳ１１及び北側吹抜けＳ１３によって互いに連通している。なお、居間２２と踊り場２４との間には間仕切壁が設けられておらず居間２２と踊り場２４とは連続した空間（一室）となっており、居間２２及び踊り場２４を通って南側吹抜けＳ１１及び北側吹抜けＳ１３間を空気が流通可能となっている。
【００２２】
ロフト床３１ａの南側の端部には、南側天井Ｔ１１に達しない高さの手摺り３２が設けられている。手摺り３２として、例えば、腰壁状の手摺りを用いることができる。小屋裏階床３１の北側の端部には、北側天井Ｔ１３に達しない高さの手摺り３３が設けられている。手摺り３３として、例えば、桟状、又はパネル状等の手摺りを用いることができる。手摺り３２及び３３の構造は、特に限定されない。南側天井Ｔ１１及び北側天井Ｔ１３の頂部近傍には、通風機能を有する天窓３５がそれぞれ設けられている。天窓３５は、ロフト３０から開閉操作を行うことができる。
【００２３】
ロフト床３１ａの東側には、洋室２３に連通する東側吹抜けＳ１２が形成されている。間仕切り壁Ｗ１において、ロフト３０に面する部位には開口部Ｗ１ａが形成されている。ロフト３０と東側吹抜けＳ１２とは、開口部Ｗ１ａを介して連通している。間仕切り壁Ｗ１の開口部Ｗ１ａには、洋室２３とロフト３０とを往来するためのはしご（昇降手段）Ｈ２が接続される。はしごＨ２は、使用しない場合には取り外すことが可能な構成とすることができる。
【００２４】
本実施形態は以上のように構成され、ロフト３０のロフト床３１ａは南側外壁Ｗ１１及び北側外壁Ｗ１３と離隔し、ロフト床３１ａの南側及び北側にそれぞれ南側吹抜けＳ１１及び北側吹抜けＳ１３が設けられているので、ロフト３０を通って南側吹抜けＳ１１及び北側吹抜けＳ１３間を空気が流通する。また、手摺り３２及び３３が南側天井Ｔ１１及び北側天井Ｔ１３に達していないため、手摺り３２及び３３によって南側吹抜けＳ１１及び北側吹抜けＳ１３間の空気の流通を遮ることがない。これにより、ロフト３０に空気が滞留することが抑制され、空気の循環が促進されて建物Ｘ内の室内の温度差を生じ難くすることができる。
【００２５】
ロフト３０と居間２２及び踊り場２４とは、南側吹抜けＳ１１及び北側吹抜けＳ１３によって連通している。また、居間２２と踊り場２４との間には間仕切りが設けられておらず、居間２２と踊り場２４との間で空気が流通可能である。これにより、居間２２及び踊り場２４において、南側吹抜けＳ１１と北側吹抜けＳ１３との間で空気が流通可能となる。このため、ロフト３０と、居間２２及び踊り場２４との間で空気を循環させることができ、ロフト３０の空気の循環をより一層促進させることができる。
【００２６】
ロフト３０は、間仕切り壁Ｗ１に設けられた開口部Ｗ１ａ及び東側吹抜けＳ１２を介して洋室２３と連通している。これにより、ロフト３０と洋室２３との間においても空気を流通させることができ、ロフト３０の空気の循環をより一層促進させることができる。また、開口部Ｗ１ａが形成された間仕切り壁Ｗ１は、建物Ｘの２階において居間２２及び踊り場２４と、洋室２３とを区画している。これにより、洋室２３のプライバシーを保つことができる。
【００２７】
南側天井Ｔ１１及び北側天井Ｔ１３の頂部近傍に天窓３５を設けることにより、天窓３５を介してロフト３０に光を取り込むことができるとともに、通風機能を有する天窓３５により換気も行うことができる。
【００２８】
以上、本発明の一実施形態について説明したが、本発明は、上記実施形態に限定されるものではない。例えば、東側天井Ｔ１２は、東側に向かって下り勾配が付けられているものとしたが、これに限定されない。一例として、南側屋根Ｒ１１及び北側屋根Ｒ１３の頂部が更に東側に延び、洋室２３の上部についても南側屋根Ｒ１１及び北側屋根Ｒ１３によって覆われる構成であってもよい。この場合には、ロフト３０の上部に形成される南側天井Ｔ１１及び北側天井Ｔ１３が洋室２３の上部まで延び、ロフト３０の上部に形成される天井（一対の勾配屋根）と、洋室２３の上部に形成される天井（他の勾配天井）とが同じとなる。
【００２９】
上述した建物Ｘの間取り構成は一例であり、他の間取り構成であってもよい。建物Ｘは、２階建ての建物としたが、小屋裏階を有していればこれ以外の階層の建物であってもよい。
【符号の説明】
【００３０】
３０…ロフト（小屋裏階の空間）、３１ａ…ロフト床（小屋裏階の床）、３２，３３…手摺り、３５…天窓、Ｈ２…はしご（昇降手段）、Ｓ１１…南側吹抜け（一対の吹抜け）、Ｓ１３…北側吹抜け（一対の吹抜け）、Ｔ１１…南側天井（一対の勾配天井）、Ｔ１２…東側天井（他の勾配天井）、Ｔ１３…北側天井（一対の勾配天井）、Ｗ１…間仕切り壁、Ｗ１ａ…開口部、Ｗ１１ａ…南側内装壁（一対の壁）、Ｗ１３ａ…北側内装壁（一対の壁）、Ｘ…建物。
【図１】
2015081428.tif 000003
【図２】
2015081428.tif 000004
【図３】
2015081428.tif 000005
【図４】
2015081428.tif 000006